(57)【要約】【課題】装着対象部からの取り外しが容易に行えると共に大型化を抑制できるカートリッジ、及び、このカートリッジを装着することが可能な装置（例えは、テープ印刷装置）を提供する。【解決手段】装着対象部（装着部２００）に装着されるカートリッジ（テープカートリッジ３）は、装着部２００からテープカートリッジ３を取り外すイジェクト機構５を備え、イジェクト機構５は、テープカートリッジ３の断面方向に移動可能に設置されるイジェクトボタン５１０と、イジェクトボタン５１０と係合する係合部５２０と、係合部５２０とイジェクトボタン５１０とにより、付勢力を保持して固定される付勢部（付勢ばね５３０）と、を備え、イジェクトボタン５１０が押圧されることにより係合部５２０の係合が解除される。【選択図】図３
2011201020.tif 000002
【特許請求の範囲】
【請求項１】
装着対象部に装着されるカートリッジであって、
前記装着対象部から前記カートリッジ本体を取り外すイジェクト機構を備えていることを特徴とするカートリッジ。
【請求項２】
請求項１に記載のカートリッジであって、
前記イジェクト機構は、
前記カートリッジ本体の断面方向に移動可能に設置されるイジェクトボタンと、
前記イジェクトボタンと係合する係合部と、
前記係合部と前記イジェクトボタンとにより、付勢力を保持して固定される付勢部と、を備え、
前記イジェクトボタンが押圧されることにより前記係合部の係合が解除されることを特徴とするカートリッジ。
【請求項３】
請求項２に記載のカートリッジであって、
前記係合部は、前記カートリッジ本体の外装を構成するケース部と、前記イジェクトボタンと、に構成されていることを特徴とするカートリッジ。
【請求項４】
請求項２または請求項３に記載のカートリッジであって、
前記付勢部は、コイルばねで形成されていることを特徴とするカートリッジ。
【請求項５】
請求項２〜請求項４のいずれか一項に記載のカートリッジであって、
前記イジェクト機構は、前記カートリッジ本体の略重心位置となる断面方向に設置されていることを特徴とするカートリッジ。
【請求項６】
請求項２〜請求項５のいずれか一項に記載のカートリッジであって、
テープ状部材を巻回して前記カートリッジ本体に収容するスプールを備え、
前記イジェクト機構は、前記スプールの略回転中心軸上に設置されていることを特徴とするカートリッジ。
【請求項７】
請求項１〜請求項６のいずれか一項に記載のカートリッジを装着する装着部と、
前記テープ状部材に印刷を行う印刷部と、を備えていることを特徴とするテープ印刷装置。
【請求項８】
請求項７に記載のテープ印刷装置であって、
前記装着部に装着した前記カートリッジを保持する保持部を備え、
前記保持部は、前記イジェクト機構の動作により、前記カートリッジの保持を解除することを特徴とするテープ印刷装置。
【発明の詳細な説明】
【技術分野】
【０００１】
本発明は、カートリッジ、及びこのカートリッジを装着するテープ印刷装置に関する。
【背景技術】
【０００２】
従来、装着対象部に装着されるカートリッジとして、例えば、テープ状部材を巻回して収容するカートリッジ（テープカートリッジ）が知られている。また、例えば、装着対象部としての装着部に、このテープカートリッジを装着し、テープ状部材を繰り出して印刷を行うテープ印刷装置が知られている。なお、テープ印刷装置の装着部に装着したテープカートリッジは、取り外して他の種類のテープカートリッジ等に交換することができる。テープカートリッジを取り外す場合、テープカートリッジの外形を把持して上方に引き上げることで行っている。特許文献１には、このテープカートリッジの取り外しの動作を、テープ印刷装置に備えるイジェクト機構により、テープカートリッジを自動で浮上させることが開示されている。
【先行技術文献】
【特許文献】
【０００３】
【特許文献１】特許第３８８５１３７号公報
【発明の概要】
【発明が解決しようとする課題】
【０００４】
テープカートリッジの外形を把持して上方に引き上げることで、テープカートリッジを装着部から取り外す場合には、力が必要となり、テープカートリッジの取り外しが困難となるという課題があった。また、特許文献１のイジェクト機構を備えたテープ印刷装置は、構成が複雑であり、テープ印刷装置が大型化してしまうことが課題となっていた。
従って、装着対象部からの取り外しが容易に行えると共に大型化を抑制できるカートリッジ、及び、このカートリッジを装着することが可能な装置（例えは、テープ印刷装置）が要望されていた。
【課題を解決するための手段】
【０００５】
本発明は、上述した課題の少なくとも一部を解決するためになされたものであり、以下の形態または適用例として実現することが可能である。
【０００６】
（適用例１）本適用例に係るカートリッジは、装着対象部に装着されるカートリッジであって、装着対象部からカートリッジ本体を取り外すイジェクト機構を備えていることを特徴とする。
【０００７】
このようなカートリッジによれば、カートリッジ本体にイジェクト機構を備えているため、装着対象部を有してカートリッジを装着する装置の大型化を抑制することができる。例えば、テープ印刷装置の大型化を抑制することができる。
【０００８】
（適用例２）上記適用例に係るカートリッジにおいて、イジェクト機構は、カートリッジ本体の断面方向に移動可能に設置されるイジェクトボタンと、イジェクトボタンと係合する係合部と、係合部とイジェクトボタンとにより、付勢力を保持して固定される付勢部と、を備え、イジェクトボタンが押圧されることにより係合部の係合が解除されることが好ましい。
【０００９】
このようなカートリッジによれば、係合部の係合を解除できる力でイジェクトボタンを押圧すれば、後は、イジェクトボタンが付勢部の付勢力により、装着対象部を押圧してカートリッジを取り外す（浮上させる）。これにより、操作し易いイジェクト機構を備えたカートリッジを実現できる。また、イジェクトボタンと係合部と付勢部とを備えることによりイジェクト機構が構成でき、イジェクト機構を簡易な構成で実現することができる。また、イジェクト機構の構成が簡易なため、カートリッジの大型化を抑制できる。
【００１０】
（適用例３）上記適用例に係るカートリッジにおいて、係合部は、カートリッジ本体の外装を構成するケース部と、イジェクトボタンと、に構成されていることが好ましい。
【００１１】
このようなカートリッジによれば、係合部を別の部材で形成してカートリッジの内部に組み立てる必要がなく、係合部を簡易な構成で実現できる。
【００１２】
（適用例４）上記適用例に係るカートリッジにおいて、付勢部は、コイルばねで形成されていることが好ましい。
【００１３】
このようなカートリッジによれば、コイルばねは、加工が容易であり、カートリッジへの組みつけも容易となる。また、コイルばねは、イジェクトボタンを均等な力で押圧することができる。従って、イジェクトボタンは、付勢部の付勢力により装着対象部を押圧する場合、傾きなどが低減され、効率的に押圧することができる。
【００１４】
（適用例５）上記適用例に係るカートリッジにおいて、イジェクト機構は、カートリッジ本体の略重心位置となる断面方向に設置されていることが好ましい。
【００１５】
このようなカートリッジによれば、イジェクト機構が動作する際に、重量的なバランスを取るための効果的な配置とすることができる。これにより、イジェクト機構は、無駄な付勢力を必要とせずに動作することができ、効率的で確実にカートリッジを取り外すことができる。
【００１６】
（適用例６）上記適用例に係るカートリッジにおいて、テープ状部材を巻回してカートリッジ本体に収容するスプールを備え、イジェクト機構は、スプールの略回転中心軸上に設置されていることが好ましい。
【００１７】
このようなカートリッジによれば、スプールの略回転中心軸上にイジェクト機構を設置することにより、効率的な平面配置とすることができ、カートリッジの大型化を抑制する。また、テープ状部材を巻回したカートリッジにおいて、スプールの回転中心軸は、カートリッジの重心位置の近傍に位置するため、スプールの略回転中心軸上にイジェクト機構を設置することで、イジェクト機構が動作する際に、重量的なバランスを取るための効果的な配置となる。これにより、イジェクト機構は、無駄な付勢力を必要とせずに動作することができ、効率的で確実にカートリッジを取り外すことができる。
【００１８】
（適用例７）本適用例に係るテープ印刷装置は、上述したいずれかのカートリッジを装着する装着部と、テープ状部材に印刷を行う印刷部と、を備えていることを特徴とする。
【００１９】
このようなテープ印刷装置によれば、格別な力を必要とせずにカートリッジの取り外しが容易に行えるテープ印刷装置を実現できる。また、簡易な構成のイジェクト機構を備えたことで、カートリッジの大型化を抑制でき、併せてテープ印刷装置の大型化を抑制することができる。
【００２０】
（適用例８）上記適用例に係るテープ印刷装置において、装着部に装着したカートリッジを保持する保持部を備え、保持部は、イジェクト機構の動作により、カートリッジの保持を解除することが好ましい。
【００２１】
このようなテープ印刷装置によれば、カートリッジが装着部に挿入された場合のカートリッジの保持と、イジェクト機構の動作によるカートリッジの取り外しとを確実に行うことができる。
【図面の簡単な説明】
【００２２】
【図１】実施形態に係るテープカートリッジをテープ印刷装置に装着する前の状態を示す外観斜視図。
【図２】テープカートリッジをテープ印刷装置に装着した状態を示す外観斜視図。
【図３】イジェクト機構を示す概断面図。
【発明を実施するための形態】
【００２３】
以下、実施形態を図面に基づいて説明する。
（実施形態）
【００２４】
図１は、実施形態に係るテープカートリッジ３をテープ印刷装置１に装着する前の状態を示す外観斜視図である。図２は、テープカートリッジ３をテープ印刷装置１に装着した状態を示す外観斜視図である。図１、図２を参照して、テープ印刷装置１及びテープカートリッジ３の概略構成及び動作を説明する。
【００２５】
テープ印刷装置１は、外装ケース１００によりテープ印刷装置１本体の外装が形成され、外装ケース１００の前部上面には各種入力キーからなるキーボード１０１が設置されている。後部上面の左部には、カートリッジ（以降、テープカートリッジ３と称す）を装着する装着対象部としての装着部２００が、テープカートリッジ３の外形と略相似形状で窪んで形成されている。また、装着部２００の上部には、テープカートリッジ３を装着部２００に着脱する際に開閉する開閉蓋１０２が設置されている。また、装着部２００の右部には、キーボード１０１からの入力結果などを表示するディスプレイ１０３が設置されている。
【００２６】
外装ケース１００内部において、装着部２００の左部には、テープ状部材３８０に対してフルカット及びハーフカットを行う、カット装置（図示省略）が設置されている。また、外装ケース１００の左部の側面には、テープカートリッジ３から繰り出された印刷済みのテープ状部材３８０を排出するテープ排出口１０４が形成されている。装着部２００からテープ排出口１０４にかけてのカット装置に対応する外装ケース１００には、テープ状部材３８０をテープ排出口１０４に送り出すためのテープ送り経路１０５が設けられている。また、図示省略するが、テープ印刷装置１の本体内部には、電源装置や、テープ印刷装置１の動作を統括制御する制御部を実装した回路基板等が設置されている。
【００２７】
装着部２００には、保持部としての一対の挟持片２１５が装着部２００の底面２０１から突出して形成されている。また、装着部２００の下側には、印刷部としての印刷駆動装置（図示省略）が設置されている。この印刷駆動装置を構成するプラテンローラー回転軸１１１とインクリボン巻取り軸１１２とヘッドユニット１１３とが、装着部２００の底面２０１から装着部２００内に延出している。なお、ヘッドユニット１１３は、サーマルヘッド等が実装される印刷ヘッド１１４を有し、ヘッドカバー２１８により覆われている。
【００２８】
テープカートリッジ３は、ケース部としての外装ケース３００によりテープカートリッジ３本体の外装が形成されている。なお、外装ケース３００の内部には、テープ状部材３８０をロール状に巻回して装着するテープ供給スプール３４０が設置されている。テープ供給スプール３４０に巻回されたテープ状部材３８０の先端部は、外装ケース３００の側壁に開設されたテープ送出口３０１から送り出された状態となっている。なお、テープ状部材３８０は、図１に示すように、印刷される部材となる粘着剤付の印刷テープ３８１と、剥離紙３８２とを積層して構成されている。
【００２９】
また、外装ケース３００の内部には、インクリボン３７０をロール状に巻回して装着するリボン供給スプール３５０や、印刷済みのインクリボン３７０を巻回するリボン巻取りスプール３６０や、プラテンローラー３９０等が設置されている。
【００３０】
テープ送出口３０１の近傍の外装ケース３００の側壁と、テープ送出口３０１に対向する側壁とには、それぞれ固定部３０２が窪んで形成されている。この一対の固定部３０２は、テープカートリッジ３を装着部２００に装着した際、挟持片２１５と係合する。
【００３１】
また、テープ送出口３０１の近傍には、プラテンローラー回転軸１１１と係合して回転するプラテンローラー３９０が設置され、その対向する側には、テープ状部材３８０を挟んで印刷ヘッド１１４が臨むための開口部３０３を有している。また、開口部３０３の近傍には、リボン供給スプール３５０とリボン巻取りスプール３６０が設置されている。リボン供給スプール３５０は、インクリボン３７０をプラテンローラー３９０と印刷ヘッド１１４との間に供給する。リボン巻取りスプール３６０は、インクリボン巻取り軸１１２と係合して回転し、インクリボン３７０を巻き取る。なお、本実施形態では、プラテンローラー３９０は、テープカートリッジ３内部に設置されているが、テープ印刷装置１に設置されていてもよい。
【００３２】
なお、テープカートリッジ３のテープ供給スプール３４０の略回転中心部には、本実施形態のイジェクト機構５が設置されている。このイジェクト機構５は、テープカートリッジ３を装着部２００から取り外す場合に用いる機構である。イジェクト機構５の詳細に関しては後述する。
【００３３】
テープカートリッジ３の装着部２００への装着の仕方を説明する。
テープカートリッジ３を装着部２００の外周に沿うようにして挿入する。そして、テープカートリッジ３のプラテンローラー回転軸１１１にプラテンローラー３９０を係合させ、インクリボン巻取り軸１１２にリボン巻取りスプール３６０を係合させる。そして、底面２０１に当接するまで挿入する（押し下げる）。この動作により、テープカートリッジ３を装着部２００へ装着する。その際、テープカートリッジ３に形成される一対の固定部３０２と、装着部２００の一対の挟持片２１５とがそれぞれ係合することで、装着したテープカートリッジ３を保持して固定する。
【００３４】
テープカートリッジ３を装着した後に、開閉蓋１０２を閉じる。この時、テープカートリッジ３の開口部３０３内に臨むヘッドユニット１１３（印刷ヘッド１１４）が、インクリボン３７０及びテープ状部材３８０をプラテンローラー３９０に押圧して挟持する。
【００３５】
ここで、制御部から印刷指示がなされた場合、駆動モーター（図示省略）が作動し、プラテンローラー３９０とリボン巻取りスプール３６０が同期して回転を開始する。この動作により、テープ状部材３８０が繰り出され、印刷ヘッド１１４により、テープ状部材３８０（印刷テープ３８１）にインクリボン３７０のインクが熱転写されて印刷される。印刷済みのテープ状部材３８０は、テープ送出口３０１からテープ排出口１０４側に向かって順次送られる。また、印刷済みのインクリボン３７０は、開口部３０３を周回してリボン巻取りスプール３６０に順次巻き取られる。
【００３６】
図３は、イジェクト機構５を示す概断面図であり、図３（ａ）は、テープカートリッジ３を装着部２００に装着した状態の概断面図であり、図３（ｂ）は、テープカートリッジ３を装着部２００から取り外す状態の概断面図である。図３を参照して、イジェクト機構５の構成及び動作を説明する。
【００３７】
図３に示すように、テープカートリッジ３はイジェクト機構５を備えている。イジェクト機構５は、テープ供給スプール３４０の略回転中心軸Ａ上で、テープカートリッジ３内の断面方向に設置されている。イジェクト機構５は、概略、イジェクトボタン５１０と、係合部５２０と、付勢部としての付勢ばね５３０とを有して構成されている。
【００３８】
イジェクトボタン５１０は、テープカートリッジ３内の断面方向に移動可能に設置される。イジェクトボタン５１０は、ボタントップ部５１１と、軸部５１２と、押圧ボタン部５１３とを有して構成されている。ボタントップ部５１１は、使用者により押圧される部分である。軸部５１２は、ボタントップ部５１１と押圧ボタン部５１３とを連結する部分である。軸部５１２は、略円柱形状で、側面には係合部５２０を構成する係合突起５２１を有している。押圧ボタン部５１３は、後述する付勢ばね５３０の付勢力により押圧されて、装着部２００の底面２０１を押圧する部分である。
【００３９】
係合部５２０は、イジェクトボタン５１０と係合して、付勢ばね５３０に付勢力を保持させた状態で固定するものである。係合部５２０は、イジェクトボタン５１０の軸部５１２側面に形成される係合突起５２１と、上ケース３１０（詳細にはボタン案内部３１１）に形成される弾性変形を行う係合片５２２とで構成されている。
【００４０】
付勢ばね５３０は、コイルばねで形成され、圧縮ばねとして動作する。係合部５２０の係合が解除された場合には、付勢ばね５３０の付勢力が解除されて固定部３０２から挟持片２１５が外れ、テープカートリッジ３を浮き上がらせる。
【００４１】
テープカートリッジ３の外装ケース３００は、詳細には、上ケース３１０と下ケース３３０とで構成されている。上ケース３１０には、ボタン案内部３１１が、断面方向（下ケース３３０方向側）に円筒状に形成されている。また、ボタン案内部３１１の下部となる上ケース３１０内部には、断面方向に軸案内部３１２が円筒状に形成されている。ボタン案内部３１１と軸案内部３１２は、略同心円の円筒となる。
【００４２】
下ケース３３０には、ボタン案内部３１１に対向する部位に、押圧ボタン案内部３３１が円筒状に形成されている。押圧ボタン案内部３３１の上部には、下側から当接する付勢ばね５３０を受けるばね受け部３３２が形成されている。
【００４３】
ここで、イジェクト機構５の組み立てに関して簡単に説明する。
なお、テープカートリッジ３は、その外装ケース３００内部に、テープ状部材３８０を巻回したテープ供給スプール３４０やインクリボン３７０を巻回したリボン供給スプール３５０等、基本的な構成部材が収容されている。また、イジェクトボタン５１０は、ボタントップ部５１１と、軸部５１２及び押圧ボタン部５１３との２体に分けられている。
【００４４】
最初に、イジェクトボタン５１０（軸部５１２及び押圧ボタン部５１３）の軸部５１２に付勢ばね５３０を挿入する。次に、軸部５１２を押圧ボタン案内部３３１から挿入してボタン案内部３１１側に挿通する。次に、挿通した軸部５１２とボタントップ部５１１とを、かしめて固定する。
【００４５】
これにより、ボタントップ部５１１と、軸部５１２及び押圧ボタン部５１３とが一体となり、イジェクトボタン５１０が完成する。また、この状態で、付勢ばね５３０は、押圧ボタン部５１３と、押圧ボタン案内部３３１のばね受け部３３２とに挟まれた状態となる。次に、押圧ボタン部５１３を押圧することで、付勢ばね５３０を押圧し、係合部５２０（係合突起５２１と係合片５２２）を係合させる。これで、イジェクト機構５が完成する。本実施形態では、この状態で、ボタントップ部５１１の押圧される端面５１１Ａは、上ケース３１０の外面３１３と略同一面となる。また、押圧ボタン部５１３の端面５１３Ａは、下ケース３３０の外面３３３から、係合片５２２の断面方向の略厚さ分の隙間（段差）を有して窪んだ状態となる。
【００４６】
テープカートリッジ３を装着部２００へ装着した場合、図３（ａ）に示すように、下ケース３３０の外面３３３が装着部２００の底面２０１に当接すると共に、下ケース３３０に形成する一対の固定部３０２に、一対の挟持片２１５がそれぞれ係合することで、装着したテープカートリッジ３を保持して固定する。そして、テープ状部材３８０を巻回したテープ供給スプール３４０は、回転中心軸Ａを中心に回転する。実際には、回転中心軸Ａ上に形成したボタン案内部３１１の外周面に沿って回転する。
【００４７】
次に、イジェクト機構５の動作に関して説明する。
テープカートリッジ３を装着部２００から取り外す場合、テープカートリッジ３が装着されている状態（図３（ａ）に示す状態）において、イジェクトボタン５１０のボタントップ部５１１を底面２０１方向（矢印Ｂで示す方向）に押圧する。ボタントップ部５１１を押圧することにより、係合部５２０の係合が解除される。これにより、付勢力を保持して固定（圧縮されて固定）されていた付勢ばね５３０は、固定から解除される。
【００４８】
図３（ｂ）に示すように、付勢ばね５３０が固定から解除されることにより、押圧ボタン部５１３の端面５１３Ａが底面２０１を押圧すると共に、一対の挟持片２１５の保持力に抗して、挟持片２１５のテープカートリッジ３への保持を解除する。これにより、テープカートリッジ３は、固定部３０２が挟持片２１５から外れて、底面２０１から浮き上がった状態となる。使用者は、図３（ｂ）の状態となったテープカートリッジ３の外装ケース３００を把持して持ち上げることで、テープカートリッジ３を装着部２００から完全に取り外すことができる。
【００４９】
なお、使用者がイジェクトボタン５１０のボタントップ部５１１を押圧する力は、係合部５２０を解除するだけの力でよく、その後は、付勢ばね５３０の付勢力でイジェクト機構５が動作してテープカートリッジ３を取り外す。
【００５０】
なお、取り外されたテープカートリッジ３は、図３（ｂ）に示すテープカートリッジ３の状態となっている。詳細には、係合部５２０の係合が解除され、イジェクトボタン５１０の押圧ボタン部５１３が、付勢ばね５３０に付勢されて、下ケース３３０の外面３３３から突出した状態となっている。
【００５１】
なお、下ケース３３０の外面３３３から突出した状態の押圧ボタン部５１３を、付勢ばね５３０の付勢力に抗して押し込むことにより、係合部５２０が係合する。この動作により、図３（ａ）に示すテープカートリッジ３の状態となり、テープカートリッジ３を、再び装着部２００に装着した場合、イジェクト機構５を再び動作させることができる。
【００５２】
上述した実施形態によれば、以下の効果が得られる。
本実施形態のカートリッジ（テープカートリッジ３）によれば、イジェクト機構５は、イジェクトボタン５１０と係合部５２０と付勢ばね５３０とにより構成できるため、イジェクト機構５を簡易な構成で実現することができる。また、イジェクト機構５の構成が簡易なため、テープカートリッジ３の大型化を抑制できる。
【００５３】
本実施形態のテープカートリッジ３によれば、係合部５２０の係合を解除できる程度の力でイジェクトボタン５１０を押圧すれば、後は、イジェクトボタン５１０が付勢ばね５３０の付勢力により、テープカートリッジ３を取り外す（浮上させる）。これにより、操作し易いイジェクト機構５を備えたテープカートリッジ３を実現できる。
【００５４】
本実施形態のテープカートリッジ３によれば、係合部５２０は、係合片５２２と係合突起５２１とで構成され、係合片５２２は、テープカートリッジ３の上ケース３１０に形成され、係合突起５２１は、イジェクトボタン５１０の軸部５１２に形成されている。この構造により、係合部５２０を別の部材で形成してテープカートリッジ３の内部に組み立てる必要がなく、係合部５２０を簡易な構成で実現できる。また、係合部５２０を構成する部品点数を減らせることで、部品コスト、組み立てコストを削減できる。
【００５５】
本実施形態のテープカートリッジ３によれば、付勢部としての付勢ばね５３０は、コイルばねで形成されている。コイルばねは、加工が容易であり、テープカートリッジ３への組みつけも容易となる。従って、イジェクト機構５を備えるテープカートリッジ３のコストを抑制することができる。
【００５６】
本実施形態のテープカートリッジ３によれば、付勢ばね５３０がコイルばねで形成されるため、イジェクトボタン５１０を均等な力で押圧することができる。従って、傾きなどが低減され、テープカートリッジ３が効率的に着脱できる。
【００５７】
本実施形態のテープカートリッジ３によれば、テープ供給スプール３４０の略回転中心軸Ａ上にイジェクト機構５を設置することにより、効率的な平面配置とすることができ、テープカートリッジ３の大型化を抑制することができる。また、テープ状部材３８０を巻回したテープ供給スプール３４０の回転中心軸Ａは、テープカートリッジ３の重心位置の近傍に位置するため、テープ供給スプール３４０の略回転中心軸Ａ上にイジェクト機構５を設置することで、イジェクト機構５が動作する際に、重量的なバランスを取るための効果的な配置となる。これにより、イジェクト機構５は、無駄な付勢力を必要とせずに動作することができ、効率的で確実にテープカートリッジ３を取り外すことができる。
【００５８】
本実施形態のテープカートリッジ３によれば、テープカートリッジ３の押圧ボタン部５１３が下ケース３３０の外面３３３から突出した状態であっても、押圧ボタン部５１３を押し込むことにより、容易に係合部５２０を係合させることができる。従って、テープカートリッジ３を再び装着部２００に装着して、イジェクト機構５を確実に動作させることができる。
【００５９】
本実施形態のテープカートリッジ３によれば、ボタントップ部５１１の押圧される端面５１１Ａは、上ケース３１０の外面３１３と略同一面としている。これにより、テープカートリッジ３を保管する場合等において、端面５１１Ａが上ケース３１０の外面３１３から突出している場合に比較して、ボタントップ部５１１が押されて係合部５２０が解除されることを低減できる。
【００６０】
本実施形態のテープカートリッジ３によれば、係合部５２０を係合させた状態では、押圧ボタン部５１３の端面５１３Ａは、下ケース３３０の外面３３３から突出せずに窪んだ状態となっている。これにより、テープカートリッジ３を保管する場合等において、押圧ボタン部５１３が押されることによるイジェクト機構５の不具合発生を低減できる。
【００６１】
本実施形態のテープカートリッジ３によれば、係合部５２０を係合させた状態では、押圧ボタン部５１３の端面５１３Ａが下ケース３３０の外面３３３から窪んだ状態となっている。また、ボタントップ部５１１の端面５１１Ａが上ケース３１０の外面３１３と略同一面となっている。これにより、テープカートリッジ３を保管する場合等において、複数のテープカートリッジ３を重ねることができ、保管のためのスペースを小さくすることができる。
【００６２】
本実施形態のテープ印刷装置１によれば、テープカートリッジ３の取り外しが容易に行えるテープ印刷装置１が実現できる。また、簡易な構成のイジェクト機構５を備えたことで、テープカートリッジ３の大型化を抑制でき、併せてテープ印刷装置１の大型化を抑制することができる。
【００６３】
本実施形態のテープ印刷装置１によれば、装着部２００に装着したテープカートリッジ３を保持する挟持片２１５を備えている。そして、挟持片２１５は、イジェクト機構５の動作により、テープカートリッジ３の保持を解除する。これにより、テープカートリッジ３の着脱を確実に行うことができる。
【００６４】
なお、上述した実施形態に限定されず、その要旨を逸脱しない範囲において種々の変更や改良等を加えて実施することが可能である。変形例を以下に述べる。
【００６５】
（変形例１）前記実施形態のテープカートリッジ３において、ボタントップ部５１１の押圧される端面５１１Ａは、上ケース３１０の外面３１３と略同一面としている。しかし、これに限られず、端面５１１Ａは、上ケース３１０の外面３１３から突出させてもよい。上ケース３１０の外面３１３と略同一の面とした場合には、テープカートリッジ３と開閉蓋１０２との隙間を狭くすることができ、テープ印刷装置１の薄型化に効果がある。また、上ケース３１０の外面３１３から突出させた場合には、イジェクトボタン５１０の押し易さの向上を図ることができる。
【００６６】
（変形例２）前記実施形態のテープカートリッジ３において、係合部５２０を構成する係合片５２２は、上ケース３１０に形成しているが、これに限られず、下ケース３３０に形成してもよいし、上ケース３１０や下ケース３３０とは別体で形成して用いることでもよい。
【００６７】
（変形例３）前記実施形態のテープカートリッジ３において、付勢ばね５３０はコイルばねで形成されている。しかし、これに限られず、板ばね等を含む弾性部材で形成してもよい。
【００６８】
（変形例４）前記実施形態のテープカートリッジ３において、イジェクト機構５は、テープ供給スプール３４０の略回転中心軸Ａ上に設置している。しかし、これに限られず、イジェクト機構５は、テープカートリッジ３の略重心位置となる断面方向に設置されていてもよい。このような設置により、イジェクト機構５が動作する際に、重量的なバランスを取るための更に効果的な配置とすることができる。これにより、格別な力を必要とせずにイジェクト機構５を動作させることができ、確実にテープカートリッジ３を取り外すことができる。
【００６９】
（変形例５）前記実施形態では、カートリッジとして、テープ状部材３８０を巻回して収容するテープカートリッジ３を例にして、イジェクト機構５を適用している。しかし、テープ状部材３８０を収容しない様々なカートリッジに対してイジェクト機構５を適用することができ、上述した効果を奏することができる。また、テープ印刷装置１に限定されることなく、カートリッジを装着する様々な装置にも適用でき、装置の大型化を抑制することができる。
【符号の説明】
【００７０】
１…テープ印刷装置、３…テープカートリッジ、５…イジェクト機構、２００…装着部、２１５…挟持片、３０２…固定部、３４０…テープ供給スプール、３８０…テープ状部材、５１０…イジェクトボタン、５１１…ボタントップ部、５１２…軸部、５１３…押圧ボタン部、５２０…係合部、５２１…係合突起、５２２…係合片、５３０…付勢ばね、Ａ…回転中心軸。
【図１】
2011201020.tif 000003
【図２】
2011201020.tif 000004
【図３】
2011201020.tif 000005